(57)【要約】  【課題】  作業負担の大きかった、刈り取られた幹等を農道の軽トラック等まで運び出す作業を機械化する。  【解決手段】  上面が略平面であって動力により駆動される運搬車７と、少なくとも四隅下部に自由回転する車輪３を備え上面を収穫物積載可能にした移動パレット１と、運搬車７の上面に互いに平行に設けられて移動パレット１の車輪３の前後方向の走行を案内するガイドレール１７〜１９と、ガイドレール１７〜１９の一端に設けられて通常は上方に回動して保持されガイドレール１７〜１９上に停止していた移動パレット１が運搬車７から他の車両に乗り移る際に他の車両上に架け渡されるはねあげ橋２４〜２６と、運搬車側７と移動パレット１側にそれぞれ設けたピン挿通孔６，２１，２２を互いに一致させてピン２３を抜き差し自在に挿入し移動パレッ１を運搬車７上に固定するストッパーとを備える。【選択図】  図５
2005143375.tif 000002
【特許請求の範囲】
【請求項１】
上面が略平面であって少なくとも四隅下部に車輪を備え動力により駆動される運搬車と、
少なくとも四隅下部に自由回転する車輪を備え上面を収穫物積載可能にした移動パレットと、
前記運搬車の上面に互いに平行に設けられて前記移動パレットの車輪の前後方向の走行を案内するガイドレールと、
該ガイドレールの一端に設けられて通常は上方に回動して保持され、前記ガイドレール上に停止していた前記移動パレットが前記運搬車から他の車両に乗り移る際に他の車両上に架け渡されるはねあげ橋と、
前記運搬車側と前記移動パレット側にそれぞれ設けたピン挿通孔を互いに一致させてピンを抜き差し自在に挿入し前記移動パレットを前記運搬車上に固定するストッパーと、
を備えたことを特徴とする収穫運搬車。
【請求項２】
請求項１に記載の収穫運搬車において、
前記運搬車の上面の高さを前記移動パレットが乗り移る他の車両の荷台の高さと同一かやや高くしたことを特徴とする収穫運搬車。
【請求項３】
請求項１または２に記載の収穫運搬車において、
前記移動パレットの両側部に摘んだ葉または茎が重なり合わないようにした枠体を設けたことを特徴とする収穫運搬車。
【請求項４】
請求項１乃至３のいずれかに記載の収穫運搬車において、
前記ガイドレールの断面形状を両先端が開いたコ字形としたことを特徴とする収穫運搬車。
【請求項５】
請求項１乃至４のいずれかに記載の収穫運搬車において、
前記運搬車の上面に前記移動パレットを左右方向に２台積載可能にしたことを特徴とする収穫運搬車。
【発明の詳細な説明】
【技術分野】
【０００１】
本発明は、たばこ栽培等において、刈り取った幹や収穫した作物を圃場内から農道の軽トラック等まで運び出す際に使用する収穫運搬車に関する。
【背景技術】
【０００２】
従来、たばこ栽培では、合葉以下のたばこ葉を収穫した後、本葉、上葉が残った状態の幹を刈り取って収穫していた。その幹刈り作業は、機械化することが可能であり、既に、刈り取りと運搬を自動化した機械が実用化されている。しかしながら、その幹刈り用の機械は大型で重く、扱いにくいという問題があり、充分に普及しているとはいえない現状である。そのため、実際の幹刈りの作業は大部分が手作業で行われており、その作業手順としては、通常、先に幹を刈り取る作業をし、その後に、刈り取られた幹を集めながら農道に停車させている軽トラック等まで運び出していた。その運びし出しには、一輪車や特許文献１に記載の二輪台車が使用されている。
【特許文献１】特開平９−１５６５１０公報
【発明の開示】
【発明が解決しようとする課題】
【０００３】
ところで、上述した幹刈りの作業では、幹を刈り取る作業は作業者にそれほどの負担がかからないが、刈り取られた幹を農道の軽トラック等まで運び出す作業は手間がかかり負担の大きい作業であった。そのため、刈り取られた幹を農道の軽トラック等まで運び出す作業を機械化することが望まれていた。そこで本発明は、刈り取られたたばこの幹等を農道の軽トラック等まで容易に運び出す収穫運搬車を提案することを目的とした。
【課題を解決するための手段】
【０００４】
上記課題を解決するために、本発明に係る収穫運搬車は、上面が略平面であって少なくとも四隅下部に車輪を備え動力により駆動される運搬車と、少なくとも四隅下部に自由回転する車輪を備え上面を収穫物積載可能にした移動パレットと、前記運搬車の上面に互いに平行に設けられて前記移動パレットの車輪の前後方向の走行を案内するガイドレールと、該ガイドレールの一端に設けられて通常は上方に回動して保持され、前記ガイドレール上に停止していた前記移動パレットが前記運搬車から他の車両に乗り移る際に他の車両上に架け渡されるはねあげ橋と、前記運搬車側と前記移動パレット側にそれぞれ設けたピン挿通孔を互いに一致させてピンを抜き差し自在に挿入し前記移動パレットを前記運搬車上に固定するストッパーとを備える。ここで、前記運搬車の上面の高さを前記移動パレットが乗り移る他の車両の荷台の高さと同一かやや高くすることが好ましい。また、前記移動パレットの両側部に摘んだ葉または茎が重なり合わないようにした枠体を設けることが可能である。さらに、前記ガイドレールの断面形状を両先端が開いたコ字形とすることが好ましい。また、前記運搬車の上面に前記移動パレットを左右方向に２台積載可能にすることが好ましい。
【発明の効果】
【０００５】
以上述べたように本発明によれば、運搬車に車輪を備えた移動パレットを乗せておいて、運搬車を移動させながら収穫する幹等を移動パレット上に積み上げていくことができる。移動パレット上が幹等でいっぱいになったら、運搬車を農道に停車させている軽トラック等まで移動し、はねあげ橋を軽トラック等の荷台に架け渡すとともにストッパーを外し、移動パレットを軽トラック等の荷台に乗り移して収穫した幹等を、移動パレットごと所定の位置に運搬することができる。その結果、たばこ栽培等における幹等の収穫の運搬が機械化されて作業者の負担が軽減される。なお、本発明の収穫運搬車は、通常の農作業で使用している運搬車を利用した比較的簡単な構成であるため、取り扱いも容易であるとともに比較的低価格で提供することが可能である。
【発明を実施するための最良の形態】
【０００６】
以下、図に基づいて本発明の実施形態を説明する。
図１は本発明に係る収穫運搬車に用いられる移動パレットの正面図であり、図２は図１の左側面図であり、図３は図１の平面図である。図４は移動パレットを乗せた状態の運搬車の正面図であり、図５は図４の左側面図であり、図６は図４の平面図であり、図７は図４の要部を示す断面図であり、図８は図５の要部を拡大して示した図である。図１〜図３に示される移動パレット１は、平面形状が目の字に組まれた枠２の四隅に自由回転する車輪３が取り付けられているとともに、車輪３の上方は車輪カバー４により覆われている。さらに、枠２の両側面には積み荷が崩れ落ちないように、また摘んだ葉または茎が重なり合わないように、外形がコの字形の支柱５が取り付けられている。また、枠２の先端の両側に固定用のピン２３を挿入するためのピン孔６が突設されている。
【０００７】
このように構成された移動パレット１は、圃場内で使用される場合、図４〜図６に示されるように、運搬車７に乗せられて移動しながら、刈り取られた幹等が積み込まれる。運搬車７は、略平板状の車体８の前部左右に前輪１１，１２が取り付けられ、後部左右に動力により駆動される後輪１３，１４が取り付けられている。前輪１１と後輪１３の部分には、旋回操作用のハンドル１５，１６と前進・後退等の操作をするためのレバー類が配置されて、運搬車７をその前面でも後面でも運転操作ができるように構成されている。
【０００８】
図示例では、運搬車７の上面に２台の移動パレット１が左右に並んで積載されており、移動パレット１の車輪３が前後方向に移動可能なように、運搬車７の車体８の上面前後方向にガイドレール１７〜１９が互いに平行に敷設されている。図７がガイドレール１７〜１９と車輪３の位置関係を示す図であり、ガイドレール１７，１９は車輪３の１個分の幅であり、ガイドレール１８は２個の車輪３が載置可能なように幅広に形成され、いずれも両端が開いた断面コの字形に折曲された板金により形成されている。
【０００９】
また、移動パレット１に突設されているピン孔６に対応する運搬車７のガイドレール１７，１９の後端の位置には、それぞれピン孔２１，２２が突設されており、図８に示されるように移動パレット１がガイドレール１７〜１９上の所定位置に停止した状態で、ピン孔６とピン孔２１，２２が一致し、ピン２３が挿入される。これにより、運搬車７の走行中に移動パレット１を所定位置に保持しておくことが可能となる。なお、ピン２３は、移動パレット１への集荷が完了し、運搬車７を農道に停車している軽トラック等（図示せず）の位置まで走行して、移動パレット１を軽トラック等へ乗り移させる場合に引き抜かれ、移動パレット１の移動を可能にする。これらピン孔６、ピン孔２１，２２、ピン２３によりストッパーが構成される。
【００１０】
運搬車７のガイドレール１７〜１９の前端には、それぞれガイドレール１７〜１９と同一の断面形状をしたはねあげ橋２４〜２６が蝶番により回動自在に接続されている。移動パレット１が運搬車７に上述したストッパーにより固定されている間は、はねあげ橋２４〜２６は略垂直にはねあげられて保持されている。これらはねあげ橋２４〜２６は、移動パレット１への集荷が完了し、運搬車７を農道に停車している軽トラック等（図示せず）の位置まで走行して、ストッパーを解除して移動パレット１を軽トラック等へ乗り移させる場合に、前方へ倒されて、軽トラック等の荷台へ架け渡され、移動パレット１の乗り移りを可能にする。
【００１１】
次に、移動パレット１と運搬車７により構成された収穫運搬車の使用方法について説明する。先ず、上述したように移動パレット１は２台セットで運搬車７に乗せられて、ストッパーにより運搬車７に固定されるとともに、はねあげ橋２４〜２６を垂直位置まではねあげておく。次に、運搬車７を動力により駆動して、圃場内をバックにより移動させながら、既に刈り取って置かれているたばこの幹等を作業者が拾い上げて、移動パレット１上に積み込んでいく。両方の移動パレット１へ幹等が満載されたら、作業者は運搬車７の走行方向を反転して、農道に停車しておいた軽トラック等（図示せず）の位置まで戻る。ここで、軽トラック等の荷台の扉は予め下げておき、その荷台に運搬車７を近づけ、はねあげ橋２４〜２６を下ろして荷台へ架け渡す。
【００１２】
次に、移動パレット１のストッパーのピン２３引き抜き、移動パレット１をフリーにしてから、移動パレット１を荷台の方へ押し出す。移動パレット１は車輪３がガイドレール１７〜１９およびはねあげ橋２４〜２６上を走行して、荷台の上へ移動する。次に、運搬車７を軽トラック等から離し、荷台の扉を戻して閉じ、軽トラック等を所定の集荷場所へ移動し、積み荷を下ろす。次に、軽トラック等は移動パレット１を積んだままで再び圃場へ戻り、移動パレット１を先程の逆の手順で運搬車７へ戻し、たばこの幹等の集荷作業を再開する。このように、本発明では、たばこの幹等を刈り取って置いた位置から軽トラック等まで運ぶ作業が機械化されて、作業者への負担が軽減される。
【００１３】
なお、図示例では、運搬車７に２台の移動パレット１を積載したものであるが、移動パレット１の横幅を大きくして１台で運搬車７に積載するように構成することも可能であり、また、移動パレット１の横幅を小さくして３台で運搬車７に積載するように構成することも可能であり、さらには普通トラックを想定して前後左右に２台づつ並べて４台の構成とすることも可能であり、運搬車７と移動パレット１の組み合わせは任意である。また、図示例の場合、２台の移動パレット１を用いて軽トラックに積載するのであるから、移動パレット１の大きさは８８０ｍｍ×１１００ｍｍ程度とし、運搬車７の上面の広さはその２台分とし、軽トラックへの移動を容易にするため運搬車７の高さは７７０ｍｍ程度とすることが適当である。
【産業上の利用可能性】
【００１４】
本発明は、たばこの幹の収穫以外にも、野菜等の収穫にも利用可能である。また、収穫とは反対に、圃場へ苗、株、栽培の補助材料、肥料等を配る場合にも利用可能である。
【図面の簡単な説明】
【００１５】
【図１】本発明に係る収穫運搬車に用いられる移動パレットの正面図である。
【図２】図１の１の左側面図である。
【図３】図１の平面図である。
【図４】図４は移動パレットを乗せた状態の運搬車の正面図である。
【図５】図４の左側面図である。
【図６】図４の平面図である。
【図７】図４の要部を示す断面図である。
【図８】図５の要部を拡大して示した図である。
【符号の説明】
【００１６】
１ 
移動パレット
２ 
枠
３ 
車輪
４ 
車輪カバー
５ 
支柱
６ 
ピン孔
７ 
運搬車
８ 
車体
１１，１２  前輪
１３，１４  後輪
１５，１６  ハンドル
１７〜１９  ガイドレール
２１，２２  ピン孔
２３  ピン
２４〜２６  はねあげ橋
【図１】
2005143375.tif 000003
【図２】
2005143375.tif 000004
【図３】
2005143375.tif 000005
【図４】
2005143375.tif 000006
【図５】
2005143375.tif 000007
【図６】
2005143375.tif 000008
【図７】
2005143375.tif 000009
【図８】
2005143375.tif 000010